(57)【特許請求の範囲】
【請求項１】
位置情報衛星から衛星信号を受信する受信部と、
照射される光の照度に関する値を検出する照度検出部と、
前記照度検出部により検出された値に基づいて、前記照度が照度閾値以上となる高照度状態の継続時間が、時間閾値以上か否かを判定し、前記高照度状態の継続時間が前記時間閾値以上の場合、前記受信部を作動して受信処理を実行する受信制御部と、
前記照度閾値および前記時間閾値の値を設定する閾値設定部と、を備え、
前記閾値設定部は、前記受信処理で受信に失敗した場合、受信失敗時の閾値変更条件に該当したと判定し、設定されている前記照度閾値の値に応じて選択した前記照度閾値および前記時間閾値の一方の閾値を、より大きい値に変更する
ことを特徴とする電子機器。
【請求項２】
位置情報衛星から衛星信号を受信する受信部と、
照射される光の照度に関する値を検出する照度検出部と、
前記照度検出部により検出された値に基づいて、前記照度が照度閾値以上となる高照度状態の継続時間が、時間閾値以上か否かを判定し、前記高照度状態の継続時間が前記時間閾値以上の場合、前記受信部を作動して受信処理を実行する受信制御部と、
前記照度閾値および前記時間閾値の値を設定する閾値設定部と、を備え、
前記閾値設定部は、
前記受信処理で前記位置情報衛星を捕捉できずに受信に失敗した場合、受信失敗時の閾値変更条件に該当したと判定し、設定されている前記照度閾値の値に応じて、前記照度閾値および前記時間閾値の一方をより大きい値に変更し、
前記受信処理で前記位置情報衛星を捕捉したが受信に失敗した場合、前記照度閾値および前記時間閾値の値を維持する
ことを特徴とする電子機器。
【請求項３】
請求項１または請求項２に記載の電子機器において、
前記閾値設定部は、前記閾値変更条件に該当し、かつ、前記照度閾値に、予め設定された最大値が設定されている場合、前記時間閾値をより長い値に変更する
ことを特徴とする電子機器。
【請求項４】
請求項３に記載の電子機器において、
前記閾値設定部は、前記閾値変更条件に該当し、かつ、前記照度閾値に、前記最大値ではない値が設定されている場合、前記照度閾値をより高い値に変更する
ことを特徴とする電子機器。
【請求項５】
請求項１または請求項２に記載の電子機器において、
前記閾値設定部は、
前記閾値変更条件に該当し、かつ、設定されている前記照度閾値の値が第１所定照度値以上で、前記時間閾値に予め設定された最大値ではない値が設定されている場合、前記時間閾値をより長い値に変更し、
前記閾値変更条件に該当し、かつ、設定されている前記照度閾値の値が前記第１所定照度値以上で、前記時間閾値に前記最大値が設定されている場合、前記照度閾値をより高い値に変更する
ことを特徴とする電子機器。
【請求項６】
請求項５に記載の電子機器において、
前記閾値設定部は、前記照度閾値をより高い値に変更した場合、前記時間閾値に、予め設定された最小値を設定する
ことを特徴とする電子機器。
【請求項７】
位置情報衛星から衛星信号を受信する受信部と、
照射される光の照度に関する値を検出する照度検出部と、
前記照度検出部により検出された値に基づいて、前記照度が照度閾値以上となる高照度状態の継続時間が、時間閾値以上か否かを判定し、前記高照度状態の継続時間が前記時間閾値以上の場合、前記受信部を作動して受信処理を実行する受信制御部と、
前記照度閾値および前記時間閾値の値を設定する閾値設定部と、を備え、
前記閾値設定部は、
前記受信処理で受信に失敗した場合、受信失敗時の閾値変更条件に該当したと判定し、
前記閾値変更条件に該当し、かつ、前記受信処理で前記位置情報衛星を捕捉できた場合、前記時間閾値をより長い値に変更し、
前記閾値変更条件に該当し、かつ、前記受信処理で前記位置情報衛星を捕捉できなかった場合、前記照度閾値をより高い値に変更する
ことを特徴とする電子機器。
【請求項８】
請求項１から請求項７のいずれか１項に記載の電子機器において、
前記閾値設定部は、前記受信処理で所定回数連続して受信に成功した場合、前記時間閾値をより短い値に変更する
ことを特徴とする電子機器。
【請求項９】
請求項１から請求項８のいずれか１項に記載の電子機器において、
前記閾値設定部は、前記高照度状態とはならずに、所定期間の間、前記受信処理が実行されなかった場合、前記照度閾値をより低い値に変更する
ことを特徴とする電子機器。
【請求項１０】
請求項９に記載の電子機器において、
前記閾値設定部は、前記照度閾値をより低い値に変更する場合、前記時間閾値に、予め設定された最小値を設定する
ことを特徴とする電子機器。
【請求項１１】
請求項１から請求項８のいずれか１項に記載の電子機器において、
前記閾値設定部は、
前記高照度状態となったが、前記高照度状態の継続時間が前記時間閾値以上とならずに、所定期間の間、前記受信処理が実行されず、かつ、設定されている前記照度閾値の値が第２所定照度値以上の場合には、前記時間閾値をより短い値に変更し、
前記高照度状態とはならずに、前記所定期間の間、前記受信処理が実行されなかった場合、前記照度閾値をより低い値に変更する
ことを特徴とする電子機器。
【請求項１２】
電子機器の制御方法であって、
照射される光の照度に関する値を検出するステップと、
前記検出するステップにより検出された値に基づいて、前記照度が照度閾値以上となる高照度状態の継続時間が、時間閾値以上か否かを判定し、前記高照度状態の継続時間が前記時間閾値以上の場合、位置情報衛星から衛星信号を受信する受信処理を実行するステップと、
前記受信処理で受信に失敗した場合、受信失敗時の閾値変更条件に該当したと判定し、設定されている前記照度閾値の値に応じて選択した前記照度閾値および前記時間閾値の一方の閾値を、より大きい値に変更するステップと、を備える
ことを特徴とする電子機器の制御方法。
【請求項１３】
電子機器の制御方法であって、
照射される光の照度に関する値を検出するステップと、
前記検出するステップにより検出された値に基づいて、前記照度が照度閾値以上となる高照度状態の継続時間が、時間閾値以上か否かを判定し、前記高照度状態の継続時間が前記時間閾値以上の場合、位置情報衛星から衛星信号を受信する受信処理を実行するステップと、
前記受信処理で前記位置情報衛星を捕捉できずに受信に失敗した場合、受信失敗時の閾値変更条件に該当したと判定し、設定されている前記照度閾値の値に応じて、前記照度閾値および前記時間閾値の一方をより大きい値に変更するステップと、
前記受信処理で前記位置情報衛星を捕捉したが受信に失敗した場合、前記照度閾値および前記時間閾値の値を維持するステップと、を備える
ことを特徴とする電子機器の制御方法。
【請求項１４】
電子機器の制御方法であって、
照射される光の照度に関する値を検出するステップと、
前記検出するステップにより検出された値に基づいて、前記照度が照度閾値以上となる高照度状態の継続時間が、時間閾値以上か否かを判定し、前記高照度状態の継続時間が前記時間閾値以上の場合、位置情報衛星から衛星信号を受信する受信処理を実行するステップと、
前記受信処理で受信に失敗した場合、受信失敗時の閾値変更条件に該当したと判定するステップと、
前記閾値変更条件に該当し、かつ、前記受信処理で前記位置情報衛星を捕捉できた場合、前記時間閾値をより長い値に変更するステップと、
前記閾値変更条件に該当し、かつ、前記受信処理で前記位置情報衛星を捕捉できなかった場合、前記照度閾値をより高い値に変更するステップと、を備える
ことを特徴とする電子機器の制御方法。
【発明の詳細な説明】
【技術分野】
【０００１】
本発明は、衛星信号を受信する電子機器および電子機器の制御方法に関する。
【背景技術】
【０００２】
従来、ＧＰＳ衛星などの位置情報衛星から衛星信号を受信する電子機器において、予め設定された受信条件に該当すると衛星信号を受信する受信処理を実行し、受信に失敗した場合に、受信処理を実行する受信条件を厳しくして受信成功率を向上させる電子機器が知られている（特許文献１参照）。
特許文献１の電子機器は、ソーラーセルに当たる光の照度が照度閾値レベル以上となる高照度状態を検出すると、電子機器に屋外で太陽光が照射されていると判定し、衛星信号を受信する受信処理を実行する。そして、当該電子機器は、受信に失敗した場合、前記照度閾値レベルを高くし、受信条件を厳しくする。
また、特許文献１の他の実施形態の電子機器は、前記高照度状態が時間閾値の時間継続した場合に受信処理を実行する。そして、当該電子機器は、受信に失敗した場合、前記時間閾値を長くし、受信条件を厳しくする。
【先行技術文献】
【特許文献】
【０００３】
【特許文献１】特開２０１２−１５００４７号公報
【発明の概要】
【発明が解決しようとする課題】
【０００４】
しかしながら、特許文献１の照度閾値レベルを変更する電子機器では、例えば、受信に失敗した原因が、衛星信号を受信できる環境に電子機器が配置されている時間が短いことによる場合は、照度閾値レベルを高くしても、受信成功率を向上できない可能性が高い。
また、特許文献１の時間閾値を変更する電子機器では、例えば、受信に失敗した原因が、室内において強い照明光が電子機器に照射されたことで電子機器が受信処理を実行したことによる場合は、時間閾値を長くしても、受信成功率を向上できない可能性が高い。
このように、照度閾値レベルおよび時間閾値の一方のみを変更する場合は、受信に失敗した場合、受信条件を厳しくしても、受信成功率を向上できない場合があった。
【０００５】
本発明の目的は、受信条件を電子機器の様々な使用環境に応じて設定でき、受信成功率を向上できる電子機器および電子機器の制御方法を提供することにある。
【課題を解決するための手段】
【０００６】
本発明の電子機器は、位置情報衛星から衛星信号を受信する受信部と、照射される光の照度に関する値を検出する照度検出部と、前記照度検出部により検出された値に基づいて、前記照度が照度閾値以上となる高照度状態の継続時間が、時間閾値以上か否かを判定し、前記高照度状態の継続時間が前記時間閾値以上の場合、前記受信部を作動して受信処理を実行する受信制御部と、前記照度閾値および前記時間閾値の値を設定する閾値設定部と、を備え、前記閾値設定部は、前記受信処理で受信に失敗した場合、受信失敗時の閾値変更条件に該当したと判定し、設定されている前記照度閾値の値に応じて、前記照度閾値および前記時間閾値の一方をより大きい値に変更することを特徴とする。
【０００７】
電子機器は、例えば、発電部としてソーラーセルを備え、照度検出部は、照度に関する値として、ソーラーセルの開放電圧を検出する。
本発明によれば、光が電子機器に照射され、高照度状態の継続時間が時間閾値以上の場合、受信制御部は、受信部を作動して受信処理を実行する。
そして、閾値設定部は、受信処理で受信に失敗した場合、照度閾値の値に応じて、照度閾値および時間閾値の一方をより大きい値に変更する。受信に失敗した場合とは、衛星信号に基づいて時刻情報を取得できなかった場合を意図する。また、より大きい値に変更するとは、照度閾値の場合は、より高い値に変更することであり、時間閾値の場合は、より長い値に変更することである。
通常、屋内の照明光による照度は、直射日光による照度よりも低い。このため、照度閾値の値が、直射日光による照度以上の場合は、受信に失敗した原因が、屋内において照明光が電子機器に照射されたことで電子機器が受信処理を実行したことによるものではなく、衛星信号を受信できる環境に電子機器が配置されている時間が短いことによるものである可能性が高いと判断できる。このような場合としては、例えば、電子機器を携帯したユーザーが、建物を出てすぐに他の建物や地下道に入った場合などを想定できる。この場合、閾値設定部が時間閾値をより長い値に変更することで、同様の使用環境において受信処理を実行されにくくでき、受信成功率を向上できる。
また、照度閾値の値が、直射日光による照度未満の場合、受信に失敗した原因が、例えば、屋内において照明光が電子機器に照射されたことで電子機器が受信処理を実行したことによるものである可能性があると判断できる。この場合、閾値設定部が照度閾値をより高い値に変更することで、同様の使用環境において受信処理を実行されにくくでき、受信成功率を向上できる。
このように、本発明によれば、受信処理を実行する受信条件を、電子機器の様々な使用環境に応じて設定でき、受信成功率を向上できる。
【０００８】
本発明の電子機器は、位置情報衛星から衛星信号を受信する受信部と、照射される光の照度に関する値を検出する照度検出部と、前記照度検出部により検出された値に基づいて、前記照度が照度閾値以上となる高照度状態の継続時間が、時間閾値以上か否かを判定し、前記高照度状態の継続時間が前記時間閾値以上の場合、前記受信部を作動して受信処理を実行する受信制御部と、前記照度閾値および前記時間閾値の値を設定する閾値設定部と、を備え、前記閾値設定部は、前記受信処理で前記位置情報衛星を捕捉できずに受信に失敗した場合、受信失敗時の閾値変更条件に該当したと判定し、設定されている前記照度閾値の値に応じて、前記照度閾値および前記時間閾値の一方をより大きい値に変更し、前記受信処理で前記位置情報衛星を捕捉したが受信に失敗した場合、前記照度閾値および前記時間閾値の値を維持することを特徴とする。
【０００９】
受信に失敗した場合とは、衛星信号に基づいて時刻情報を取得できなかった場合を意図する。
本発明によれば、前記電子機器の発明と同様に、受信条件を電子機器の様々な使用環境に応じて設定でき、受信成功率を向上できる。
また、閾値設定部は、受信処理で位置情報衛星を捕捉できずに受信に失敗した場合、閾値変更条件に該当したと判定し、受信処理で位置情報衛星を捕捉したが受信に失敗した場合、照度閾値および時間閾値の値を維持する。
位置情報衛星を捕捉したが受信に失敗した場合は、たまたま受信に失敗した可能性がある。このような場合は、受信条件を厳しくせず、現在の受信条件を維持することで、受信頻度を維持できる。
【００１０】
本発明の電子機器において、前記閾値設定部は、前記閾値変更条件に該当し、かつ、前記照度閾値に、予め設定された最大値が設定されている場合、前記時間閾値をより長い値に変更することが好ましい。
【００１１】
照度閾値の最大値は、例えば、直射日光が電子機器に照射された場合の照度に設定されている。
照度閾値に最大値が設定されている場合、受信に失敗した原因が、衛星信号を受信できる環境に電子機器が配置されている時間が短いことによるものである可能性が高いと判断できるため、閾値設定部が時間閾値をより長い値に変更することで、受信成功率を向上できる。
【００１２】
本発明の電子機器において、前記閾値設定部は、前記閾値変更条件に該当し、かつ、前記照度閾値に、前記最大値ではない値が設定されている場合、前記照度閾値をより高い値に変更することが好ましい。
【００１３】
照度閾値に最大値ではない値が設定されている場合、受信に失敗した原因が、例えば、屋内において照明光が電子機器に照射されたことで電子機器が受信処理を実行したことによるものである可能性があると判断できるため、閾値設定部が照度閾値をより高い値に変更することで、受信成功率を向上できる。
【００１４】
本発明の電子機器において、前記閾値設定部は、前記閾値変更条件に該当し、かつ、設定されている前記照度閾値の値が第１所定照度値以上で、前記時間閾値に予め設定された最大値ではない値が設定されている場合、前記時間閾値をより長い値に変更し、前記閾値変更条件に該当し、かつ、設定されている前記照度閾値の値が前記第１所定照度値以上で、前記時間閾値に前記最大値が設定されている場合、前記照度閾値をより高い値に変更することが好ましい。
【００１５】
第１所定照度値は、例えば、直射日光が電子機器に照射された場合の照度に設定されている。
照度閾値の値が第１所定照度値以上の場合、受信に失敗した原因が、衛星信号を受信できる環境に電子機器が配置されている時間が短いことによるものである可能性が高いと判断できるため、時間閾値に最大値ではない値が設定されている場合は、閾値設定部が時間閾値をより長い値に変更することで、受信成功率を向上できる。
ただし、照度閾値の値が第１所定照度値以上の場合でも、受信に失敗した原因が、屋内において直射日光よりも強い照明光が電子機器に照射させたことで電子機器が受信処理を実行したことによるものである可能性もある。このような場合、時間閾値をより長い値に変更することを続けても受信に成功できない。本発明によれば、時間閾値の最大値が設定され、照度閾値の値が第１所定照度値以上の場合でも、時間閾値に最大値が設定されている場合は、閾値設定部は、照度閾値をより高い値に変更する。このため、上記のように、屋内において直射日光よりも強い照明光が電子機器に照射されるような場合でも、受信成功率を向上できる。
【００１６】
本発明の電子機器において、前記閾値設定部は、前記照度閾値をより高い値に変更した場合、前記時間閾値に、予め設定された最小値を設定することが好ましい。
【００１７】
時間閾値の最小値は、電子時計が屋外に配置されている可能性があると判定できる最小値である。
本発明によれば、照度閾値をより高い値に変更した場合、受信条件に該当したか否かの判定にかかる時間を最短にでき、受信処理が実行されるまでの時間を最短にできる。
【００１８】
本発明の電子機器は、位置情報衛星から衛星信号を受信する受信部と、照射される光の照度に関する値を検出する照度検出部と、前記照度検出部により検出された値に基づいて、前記照度が照度閾値以上となる高照度状態の継続時間が、時間閾値以上か否かを判定し、前記高照度状態の継続時間が前記時間閾値以上の場合、前記受信部を作動して受信処理を実行する受信制御部と、前記照度閾値および前記時間閾値の値を設定する閾値設定部と、を備え、前記閾値設定部は、前記受信処理で受信に失敗した場合、受信失敗時の閾値変更条件に該当したと判定し、前記閾値変更条件に該当し、かつ、前記受信処理で前記位置情報衛星を捕捉できた場合、前記時間閾値をより長い値に変更し、前記閾値変更条件に該当し、かつ、前記受信処理で前記位置情報衛星を捕捉できなかった場合、前記照度閾値をより高い値に変更することを特徴とする。
【００１９】
受信に失敗した場合とは、衛星信号に基づいて時刻情報を取得できなかった場合を意図する。
受信処理で位置情報衛星を捕捉できた場合、受信に失敗した原因が、衛星信号を受信できる環境に電子機器が配置されている時間が短いことによるものである可能性が高いと判断できるため、閾値設定部が時間閾値をより長い値に変更することで、時間閾値を変更しない場合と比べて、受信成功率を向上できる。
また、受信処理で位置情報衛星を捕捉できなかった場合、受信に失敗した原因が、例えば、屋内において照明光が電子機器に照射されたことで電子機器が受信処理を実行したことによるものである可能性があると判断できるため、閾値設定部が照度閾値をより高い値に変更することで、受信成功率を向上できる。
このように、本発明によれば、受信処理を実行する受信条件を、電子機器の様々な使用環境に応じて設定でき、受信成功率を向上できる。
【００２０】
本発明の電子機器において、前記閾値設定部は、前記受信処理で所定回数連続して受信に成功した場合、前記時間閾値をより短い値に変更することが好ましい。
【００２１】
受信制御部は、受信に成功した場合、例えば、翌日になるまでは受信処理を実行しない。また、所定回数は、例えば、２回である。
受信処理で所定回数連続して受信に成功した場合、受信に成功し易い使用環境にあると判断できる。このような場合、受信条件を緩くしても、ただちに受信に失敗する可能性は低いと判断できるため、閾値設定部が時間閾値をより短い値に変更することで、受信条件に該当したか否かの判定に係る時間を短くでき、受信処理が実行されるまでの時間を短縮できる。
【００２２】
本発明の電子機器において、前記閾値設定部は、前記高照度状態とはならずに、所定期間の間、前記受信処理が実行されなかった場合、前記照度閾値をより低い値に変更することが好ましい。
【００２３】
所定期間は、例えば、ある時刻からはじまる２４時間の期間である。
高照度状態とはならずに、所定期間の間、受信処理が実行されなかった場合は、照度閾値が高いために受信処理が実行されなかったと判断できる。従って、このような場合は、閾値設定部が照度閾値をより低い値に変更することで、受信処理が実行される可能性を向上でき、受信間隔が長くなることを抑制できる。
【００２４】
本発明の電子機器において、前記閾値設定部は、前記照度閾値をより低い値に変更する場合、前記時間閾値に、予め設定された最小値を設定することが好ましい。
【００２５】
本発明によれば、照度閾値が最大値ではない値に設定されている場合は、時間閾値に最小値を設定できるため、受信条件に該当したか否かの判定に係る時間を最短にでき、受信処理が実行されるまでの時間を最短にできる。
【００２６】
本発明の電子機器において、前記閾値設定部は、前記高照度状態となったが、前記高照度状態の継続時間が前記時間閾値以上とならずに、所定期間の間、前記受信処理が実行されず、かつ、設定されている前記照度閾値の値が第２所定照度値以上の場合には、前記時間閾値をより短い値に変更し、前記高照度状態とはならずに、前記所定期間の間、前記受信処理が実行されなかった場合、前記照度閾値をより低い値に変更することが好ましい。
【００２７】
第２所定照度値は、例えば、直射日光が電子機器に照射された場合の照度に設定されている。
高照度状態となったが、高照度状態の継続時間が時間閾値以上とならずに、所定期間の間、受信処理が実行されず、かつ、設定されている照度閾値の値が第２所定照度値以上の場合は、時間閾値が長いために受信処理が実行できていないと判断できる。従って、このような場合は、閾値設定部が時間閾値をより短い値に変更することで、受信処理が実行される可能性を高くでき、受信間隔が長くなることを抑制できる。
また、高照度状態とならずに、所定期間の間、受信処理が実行されなかった場合は、照度閾値が高いために受信処理が実行できていないと判断できる。従って、このような場合は、閾値設定部が照度閾値をより低い値に変更することで、受信処理が実行される可能性を高くでき、受信間隔が長くなることを抑制できる。
【００２８】
本発明は、電子機器の制御方法であって、照射される光の照度に関する値を検出するステップと、前記検出するステップにより検出された値に基づいて、前記照度が照度閾値以上となる高照度状態の継続時間が、時間閾値以上か否かを判定し、前記高照度状態の継続時間が前記時間閾値以上の場合、位置情報衛星から衛星信号を受信する受信処理を実行するステップと、前記受信処理で受信に失敗した場合、受信失敗時の閾値変更条件に該当したと判定し、設定されている前記照度閾値の値に応じて、前記照度閾値および前記時間閾値の一方をより大きい値に変更するステップと、を備えることを特徴とする。
本発明によれば、受信処理を実行する受信条件を、電子機器の様々な使用環境に応じて設定でき、受信成功率を向上できる。
【００２９】
本発明は、電子機器の制御方法であって、照射される光の照度に関する値を検出するステップと、前記検出するステップにより検出された値に基づいて、前記照度が照度閾値以上となる高照度状態の継続時間が、時間閾値以上か否かを判定し、前記高照度状態の継続時間が前記時間閾値以上の場合、位置情報衛星から衛星信号を受信する受信処理を実行するステップと、前記受信処理で前記位置情報衛星を捕捉できずに受信に失敗した場合、受信失敗時の閾値変更条件に該当したと判定し、設定されている前記照度閾値の値に応じて、前記照度閾値および前記時間閾値の一方をより大きい値に変更するステップと、前記受信処理で前記位置情報衛星を捕捉したが受信に失敗した場合、前記照度閾値および前記時間閾値の値を維持するステップと、を備えることを特徴とする。
【００３０】
本発明によれば、受信条件を電子機器の様々な使用環境に応じて設定でき、受信成功率を向上できる。また、位置情報衛星を捕捉したが受信に失敗した場合は、受信条件を厳しくせず、現在の受信条件を維持することで、受信頻度を維持できる。
【００３１】
本発明は、電子機器の制御方法であって、照射される光の照度に関する値を検出するステップと、前記検出するステップにより検出された値に基づいて、前記照度が照度閾値以上となる高照度状態の継続時間が、時間閾値以上か否かを判定し、前記高照度状態の継続時間が前記時間閾値以上の場合、位置情報衛星から衛星信号を受信する受信処理を実行するステップと、前記受信処理で受信に失敗した場合、受信失敗時の閾値変更条件に該当したと判定するステップと、前記閾値変更条件に該当し、かつ、前記受信処理で前記位置情報衛星を捕捉できた場合、前記時間閾値をより長い値に変更するステップと、前記閾値変更条件に該当し、かつ、前記受信処理で前記位置情報衛星を捕捉できなかった場合、前記照度閾値をより高い値に変更するステップと、を備えることを特徴とする。
本発明によれば、受信処理を実行する受信条件を、電子機器の様々な使用環境に応じて設定でき、受信成功率を向上できる。
【図面の簡単な説明】
【００３２】
【図１】本発明に係る第１実施形態の電子時計を示す概略図。
【図２】第１実施形態における電子時計の正面図。
【図３】第１実施形態における電子時計の断面図
【図４】第１実施形態における電子時計の回路構成を示すブロック図。
【図５Ａ】航法メッセージのメインフレームの構成を示す図。
【図５Ｂ】航法メッセージのＴＬＭワードの構成を示す図。
【図５Ｃ】航法メッセージのＨＯＷワードの構成を示す図。
【図６】第１実施形態における制御回路での処理を示すフローチャート。
【図７】充電状態検出、開放電圧検出、受信処理の作動タイミングを説明する図。
【図８】電子時計のソーラーセルに当たる光の照度とソーラーセルの開放電圧との関係を示すグラフ。
【図９】電子時計のソーラーセルに当たる光の照度とソーラーセルの短絡電流との関係を示すグラフ。
【図１０】各検出レベルにおけるソーラーセルでの開放電圧およびソーラーセルに当たる光の照度との関係を示す図。
【図１１】判定回数と判定時間との関係を示す図。
【図１２】本発明に係る第２実施形態の制御回路での処理を示すフローチャート。
【図１３】本発明に係る第３実施形態の制御回路での処理を示すフローチャート。
【図１４】本発明に係る第４実施形態の制御回路での処理を示すフローチャート。
【図１５】本発明に係る第５実施形態の制御回路での処理を示すフローチャート。
【図１６】第５実施形態における制御回路での処理を示すフローチャート。
【図１７】本発明に係る第６実施形態の制御回路での処理を示すフローチャート。
【図１８】第６実施形態における制御回路での処理を示すフローチャート。
【発明を実施するための形態】
【００３３】
［第１実施形態］
図１は、本実施形態の電子時計１を示す概略図である。
電子機器としての電子時計１は、地球の上空を所定の軌道で周回している複数のＧＰＳ（Global Positioning System）衛星１００のうち、少なくとも１つのＧＰＳ衛星１００から衛星信号を受信して時刻情報を取得し、少なくとも３つのＧＰＳ衛星１００から衛星信号を受信して位置情報を算出して取得するように構成されている。なお、ＧＰＳ衛星１００は、位置情報衛星の一例であり、地球の上空に複数存在している。現在は約３０個のＧＰＳ衛星１００が周回している。
【００３４】
［電子時計の概略構成］
図２は、電子時計１の正面図であり、図３は、電子時計１の概略を示す断面図である。
電子時計１は、図２、図３に示すように、外装ケース３０と、カバーガラス３３と、裏蓋３４とを備えている。
外装ケース３０は、金属で形成された円筒状のケース３１の表面側に、セラミックで形成されたベゼル３２が嵌合されて構成されている。図３に示すように、外装ケース３０の二つの開口のうち、表面側の開口は、カバーガラス３３で塞がれており、裏面側の開口は金属で形成された裏蓋３４で塞がれている。
外装ケース３０の側面には、Ａボタン２と、Ｂボタン３と、りゅうず４とが設けられている。
【００３５】
外装ケース３０の内側には、ダイヤルリング３５と、文字板１１と、指針２１，２２，２３，２４，２５，２６，２７，２８と、カレンダー車２０と、各指針およびカレンダー車２０を駆動するムーブメント１２５などが備えられている。
【００３６】
ダイヤルリング３５は、リング状となっており、プラスチックで形成されている。
文字板１１は、プラスチックなどの光透過性の材料で形成されている。文字板１１は、外装ケース３０の内側で時刻を表示する円形の板材であり、カバーガラス３３との間に各指針２１〜２８を備え、ダイヤルリング３５の内側に配置されている。
文字板１１には、指針２１，２２，２３の指針軸２９と、指針２４，２５，２６，２７，２８の図示しない指針軸とが貫通する穴と、カレンダー小窓１５の開口部が形成されている。
【００３７】
文字板１１と、ムーブメント１２５との間には、ソーラーセル１３５が備えられている。
ソーラーセル１３５は、光エネルギーを電気エネルギーに変換する光発電を行う光発電素子である。ソーラーセル１３５は、カバーガラス３３および文字板１１を透過した光を受光して光発電を行うことができる。
【００３８】
ムーブメント１２５は、回路基板１２０で裏蓋側から覆われている。ムーブメント１２５が備える駆動機構１４０は、ステップモーターと歯車などの輪列とを有し、当該ステップモーターが当該輪列を介して指針軸を回転させることにより各指針２１〜２８およびカレンダー車２０を駆動する。
駆動機構１４０は、具体的には、第１〜第６駆動機構を備える。第１駆動機構は指針２２および指針２３を駆動し、第２駆動機構は指針２１を駆動し、第３駆動機構は指針２４を駆動し、第４駆動機構は指針２５を駆動し、第５駆動機構は指針２６，２７，２８を駆動し、第６駆動機構はカレンダー車２０を駆動する。
【００３９】
ＧＰＳアンテナ１１０は、１．５ＧＨｚ帯のマイクロ波を受信するアンテナであり、文字板１１の裏面側に配置され、裏蓋３４側のアンテナ基板１２３上に実装されている。文字板１１に直交する方向において、ＧＰＳアンテナ１１０と重なる文字板１１の部分は、１．５ＧＨｚ帯のマイクロ波が透過し易い材料（例えば、導電率および透磁性の低い非金属の材料）で形成されている。また、ＧＰＳアンテナ１１０と文字板１１との間には電極を備えたソーラーセル１３５が介在しない。よって、ＧＰＳアンテナ１１０は、カバーガラス３３および文字板１１を透過した衛星信号を受信することができる。
なお、ＧＰＳアンテナ１１０としては、パッチアンテナ（マイクロストリップアンテナ）、ヘリカルアンテナ、チップアンテナ、逆Ｆアンテナなどを例示できる。
【００４０】
アンテナ基板１２３の裏蓋側には、二次電池１３０が設けられている。
二次電池１３０は、電子時計１の電源であり、ソーラーセル１３５で発生した電力を蓄積する。二次電池１３０としては、リチウムイオン電池などを例示できる。
【００４１】
回路基板１２０は、コネクター１２１を介してアンテナ基板１２３および二次電池１３０と接続されている。また、回路基板１２０は、裏蓋側に制御回路４７やＧＰＳ受信回路４５などを備えている。回路基板１２０の裏蓋側には、これらの部品を覆うための回路押さえ１２２が設けられている。
【００４２】
［電子時計の表示機構］
指針２１，２２，２３は、文字板１１の平面中心に、文字板１１の表裏方向に沿って設けられた指針軸２９に取り付けられている。なお、指針軸２９は、各指針２１，２２，２３が取り付けられる３つの指針軸で構成されている。
文字板１１の外周部を囲むダイヤルリング３５の内周側には、図２に示すように、内周を６０分割にする目盛が表記されている。この目盛を用いて、指針２１は第１時刻（ローカルタイム：例えば外国にいる場合の現地時刻）の「秒」を表示し、指針２２は第１時刻の「分」を表示し、指針２３は第１時刻の「時」を表示する。なお、第１時刻の「秒」は、後述する第２時刻の「秒」と同じため、ユーザーは、指針２１を確認することで、第２時刻の「秒」も把握できる。
また、ダイヤルリング３５には、１２分位置にアルファベットの「Ｙ」と、１８分位置にアルファベットの「Ｎ」の英字が表記されている。指針２１は、「Ｙ」および「Ｎ」のいずれか一方を指示し、衛星信号の受信結果を表示する。
指針２４は、文字板１１の平面中心から２時方向の位置に設けられている指針軸に取り付けられ、曜日を表示する。
【００４３】
指針２５は、文字板１１の平面中心から１０時方向の位置に設けられている指針軸に取り付けられている。
指針２５の回転領域の外周には、「ＤＳＴ」の英字と「○」の記号が表記されている。ＤＳＴ（daylight saving time）は夏時間（サマータイム）を意味する。指針２５は、これらの英字と記号を指示することで、夏時間（ＤＳＴ：夏時間ＯＮ、○：夏時間ＯＦＦ）の設定を表示する。
また、指針２５の回転領域の外周には、円周に沿って三日月鎌状の記号１２が表記されている。この記号１２は二次電池１３０のパワーインジケーターであり、電池容量に応じた位置を指針２５が指示することで電池容量が表示される。
【００４４】
また、指針２５の回転領域の外周には、飛行機形状の記号１３が表記されている。この記号は、機内モードを表す。指針２５は、記号１３を指示することで、機内モードに設定され、受信が行われないことを表示する。
また、指針２５の回転領域の外周には、「１」の数字と「４＋」の記号が表記されている。これらの数字と記号は、衛星信号の受信モードを表す。「１」はＧＰＳ時刻情報を受信し内部時刻が修正されること（測時モード）を、「４＋」はＧＰＳ時刻情報と軌道情報とを受信し、現在位置である位置情報を算出し、内部時刻と時差とが修正されること（測位モード）を意味する。
【００４５】
指針２６、指針２７は、文字板１１の平面中心から６時方向の同じ位置に設けられている指針軸に取り付けられている。指針２６は、第２時刻（ホームタイム：例えば外国にいる場合の日本の時刻）の「分」を表示し、指針２７は、第２時刻の「時」を表示する。指針２８は、文字板１１の平面中心から４時方向の位置に設けられている指針軸に取り付けられている。指針２８は、第２時刻の午前および午後を表示する。
【００４６】
カレンダー小窓１５は、文字板１１を矩形状に開口した開口部に設けられており、開口部からカレンダー車２０に印刷された数字が視認可能となっている。カレンダー車２０は、開口部から数字を視認させることで、第１時刻に対応した年月日の「日」を表示する。
【００４７】
ダイヤルリング３５には、内周側の目盛に沿って、協定世界時（ＵＴＣ）との時差を表す時差情報３７が、数字と数字以外の記号とで表記されている。
また、ダイヤルリング３５の周囲に設けられているベゼル３２には、ダイヤルリング３５に表記されている時差情報３７に対応した標準時を使用している代表都市名を表す都市情報３６が、時差情報３７に併記されている。
指針２１は、時差情報３７や都市情報３６を指示することで、時差情報を表示する。
【００４８】
［電子時計の回路構成］
図４は、電子時計１の回路構成を示すブロック図である。この図に示すように、電子時計１は、ソーラーセル１３５と、二次電池１３０と、ＧＰＳ受信回路４５と、時計部４６と、制御回路４７と、ダイオード４１と、充電制御用スイッチ４２と、充電状態検出回路４３と、電圧検出回路４４とを備えている。なお、充電状態検出回路４３および電圧検出回路４４からなる構成は、本発明の照度検出部の一例である。
【００４９】
ダイオード４１は、ソーラーセル１３５と二次電池１３０とを電気的に接続する経路に設けられ、ソーラーセル１３５から二次電池１３０への電流（順方向電流）を遮断せずに、二次電池１３０からソーラーセル１３５への電流（逆方向電流）を遮断する。なお、順方向電流が流れるのは、二次電池１３０の電圧よりもソーラーセル１３５の電圧が高い場合、すなわち充電時に限られる。また、ダイオード４１に代えて電界効果トランジスター（ＦＥＴ）を採用してもよい。
【００５０】
充電制御用スイッチ４２は、ソーラーセル１３５から二次電池１３０への電流の経路を接続および切断するものであり、ソーラーセル１３５と二次電池１３０とを電気的に接続する経路に設けられたスイッチング素子４２１を備えている。スイッチング素子４２１がオフ状態からオン状態に遷移するとオン（接続）し、スイッチング素子４２１がオン状態からオフ状態へ遷移するとオフ（切断）する。
例えば、過充電により電池特性が劣化する状態にならないよう、二次電池１３０の電池電圧が所定値以上となる場合には、制御回路４７から出力される２値の制御信号ＣＴＬ３に基づいて、充電制御用スイッチ４２をオフする。なお、この場合、後述する電圧検出回路４４は、制御回路４７から出力される制御信号ＣＴＬ２に基づいて動作が停止されている。
【００５１】
スイッチング素子４２１は、ｐチャネル型のトランジスターであり、ゲート電圧Ｖｇ１がローレベルの場合にはオン状態となり、ハイレベルの場合にはオフ状態となる。ゲート電圧Ｖｇ１は、制御回路４７に制御される。
【００５２】
充電状態検出回路４３は、制御回路４７から出力される充電状態の検出タイミングを指定する２値の制御信号ＣＴＬ１に基づいて作動し、ソーラーセル１３５から二次電池１３０への充電の状態（充電状態）を検出し、検出結果ＲＳ１を制御回路４７へ出力する。充電状態は「充電中」または「非充電中」であり、その検出は電池電圧ＶＣＣと充電制御用スイッチ４２がオンのときのソーラーセル１３５のＰＶＩＮとに基づいて行われる。例えば、ダイオード４１の降下電圧をＶｔｈとし、スイッチング素子４２１のオン抵抗を無視したとき、ＰＶＩＮ−Ｖｔｈ＞ＶＣＣの場合には「充電中」と判定し、ＰＶＩＮ−Ｖｔｈ≦ＶＣＣの場合には「非充電中」と判定することができる。
【００５３】
本実施形態では、制御信号ＣＴＬ１は、周期が１秒のパルス信号であり、充電状態検出回路４３は、制御信号ＣＴＬ１がハイレベルの期間において充電状態の検出を行う。つまり、充電状態検出回路４３は、充電制御用スイッチ４２を接続状態に維持したまま、充電状態の検出を１秒周期で繰り返し行う。
【００５４】
なお、充電状態の検出を間欠的に行うのは、充電状態検出回路４３の消費電力量を低減するためである。この低減が不要であれば、充電状態が連続的に検出されるようにしてもよい。充電状態検出回路４３は、例えば、コンパレーター、Ａ／Ｄコンバーター等を用いて構成することができる。
【００５５】
電圧検出回路４４は、制御回路４７から出力される電圧の検出タイミングを指定する２値の制御信号ＣＴＬ２に基づいて作動し、ソーラーセル１３５の端子電圧ＰＶＩＮ、すなわちソーラーセル１３５の開放電圧を検出する。なお、電圧検出回路４４が開放電圧を検出している期間、制御回路４７から出力される制御信号ＣＴＬ３に基づいて、充電制御用スイッチ４２はオフとされている。また、電圧検出回路４４は、開放電圧の検出結果ＲＳ２を制御回路４７へ出力する。
【００５６】
受信部としてのＧＰＳ受信回路４５は、ＧＰＳアンテナ１１０に接続され、ＧＰＳアンテナ１１０を介して受信した衛星信号を処理してＧＰＳ時刻情報や位置情報を取得する。
そして、ＧＰＳ受信回路４５は、図示を略すが、通常のＧＰＳ装置と同様に、ＧＰＳ衛星１００から送信される衛星信号を受信してデジタル信号に変換するＲＦ（Radio Frequency）部と、受信信号の相関判定を実行して航法メッセージを復調するＢＢ部（ベースバンド部）と、ＢＢ部で復調された航法メッセージ（衛星信号）からＧＰＳ時刻情報や位置情報（測位情報）を取得して出力する情報取得手段と、を備えている。
【００５７】
［航法メッセージ］
ここで、前記各取得情報が含まれるＧＰＳ衛星１００から送信される衛星信号である航法メッセージについて説明する。なお、航法メッセージは、５０ｂｐｓのデータとして衛星の電波に変調されている。
図５Ａ〜図５Ｃは、航法メッセージの構成について説明するための図である。
図５Ａに示すように、航法メッセージは、全ビット数１５００ビットのメインフレームを１単位とするデータとして構成される。メインフレームは、それぞれ３００ビットの５つのサブフレーム１〜５に分割されている。１つのサブフレームのデータは、各ＧＰＳ衛星１００から６秒で送信される。従って、１つのメインフレームのデータは、各ＧＰＳ衛星１００から３０秒で送信される。
【００５８】
サブフレーム１には、週番号データ（ＷＮ：week number）や衛星補正データが含まれている。
週番号データは、現在のＧＰＳ時刻情報が含まれる週を表す情報であり、１週間単位で更新される。
サブフレーム２、３には、エフェメリスパラメーター（各ＧＰＳ衛星１００の詳細な軌道報）が含まれる。また、サブフレーム４、５には、アルマナックパラメーター（全ＧＰＳ衛星１００の概略軌道情報）が含まれている。
【００５９】
さらに、サブフレーム１〜５には、先頭から、３０ビットのＴＬＭ（Telemetry word）データが格納されたＴＬＭ（Telemetry）ワードと３０ビットのＨＯＷ（hand over word）データが格納されたＨＯＷワードが含まれている。
【００６０】
したがって、ＴＬＭワードやＨＯＷワードは、ＧＰＳ衛星１００から６秒間隔で送信されるのに対し、週番号データや衛星補正データ、エフェメリスパラメーター、アルマナックパラメーターは３０秒間隔で送信される。
【００６１】
図５Ｂに示すように、ＴＬＭワードには、プリアンブルデータ、ＴＬＭメッセージ、Reservedビット、パリティデータが含まれている。
【００６２】
図５Ｃに示すように、ＨＯＷワードには、ＴＯＷ（Time of Week、「Ｚカウント」ともいう）というＧＰＳ時刻情報が含まれている。Ｚカウントデータは毎週日曜日の０時からの経過時間が秒で表示され、翌週の日曜日の０時に０に戻るようになっている。つまり、Ｚカウントデータは、週の初めから一週間毎に示される秒単位の情報である。このＺカウントデータは、次のサブフレームデータの先頭ビットが送信されるＧＰＳ時刻情報を示す。
【００６３】
したがって、電子時計１は、サブフレーム１に含まれる週番号データとサブフレーム１〜５に含まれるＨＯＷワード（Ｚカウントデータ）を取得することで、日付情報および時刻情報を取得することができる。ただし、電子時計１は、以前に週番号データを取得し、週番号データを取得した時期からの経過時間を内部でカウントしている場合は、週番号データを取得しなくてもＧＰＳ衛星１００の現在の週番号データを得ることができる。
したがって、電子時計１は、リセット後や電源投入時のように、内部に週番号データ（日付情報）を記憶していない場合のみ、サブフレーム１の週番号データを取得すれば良い。そして、週番号データを記憶している場合は、電子時計１は、６秒毎に送信されるＴＯＷを取得すれば、現在時刻が分かるようになっている。このため、電子時計１は、通常、時刻情報としてＴＯＷのみを取得する。
【００６４】
図４に戻り、時計部４６は、ムーブメント１２５を備え、二次電池１３０に蓄積された電力で駆動されて計時処理を行う。計時処理では、時刻を計時する一方、計時時刻に応じた時刻（第１時刻および第２時刻）を電子時計１の表面に表示させる。
ここで、時計部４６が計時する時刻は、ＧＰＳ受信回路４５が衛星信号を受信し、受信した衛星信号を処理することで取得したＧＰＳ時刻情報や位置情報に基づいて修正される。
【００６５】
制御回路４７は、電子時計１を制御するＣＰＵで構成されている。制御回路４７は、図示しない記憶装置に格納された各種プログラムを実行することで、受信制御部４７１、閾値設定部４７２として機能する。
受信制御部４７１は、受信を実行する条件である受信条件に該当すると、ＧＰＳ受信回路４５を作動して受信処理を実行する。閾値設定部４７２は、受信条件を構成する後述する照度閾値および時間閾値を設定する。なお、各機能については、以降の制御回路４７の動作説明のなかで詳述する。
【００６６】
［制御回路の動作］
このような電子時計１における制御回路４７の動作について、図６のフローチャートに基づき説明する。
制御回路４７は、毎日０時０分０秒に制御を始める。まず、受信制御部４７１は、一定周期で充電状態検出回路４３を作動する（ＳＡ１）。本実施形態では、図７に示すように、受信制御部４７１は、１秒間隔の制御信号ＣＴＬ１を出力し、充電状態検出回路４３を作動している。制御信号ＣＴＬ１が入力されると、充電状態検出回路４３は、充電状態であるか否かを示す検出結果ＲＳ１を制御回路４７に出力する。このため、受信制御部４７１は、充電中であるか否かを判定する（ＳＡ２）。なお、充電制御用スイッチ４２は、後述するように、電圧検出回路４４が作動されるタイミングのみオフに切り替えられる。
【００６７】
［非充電状態での制御］
電子時計１に当たる光が暗く、ソーラーセル１３５で発電が行われていない場合、充電状態検出回路４３は「非充電中」の検出結果ＲＳ１を制御回路４７に出力する。この場合、受信制御部４７１は、充電中ではない（ＳＡ２：Ｎｏ）と判定し、制御回路４７からはローレベルの制御信号ＣＴＬ２を出力する。
従って、ＳＡ２でＮｏと判定された場合、受信制御部４７１は、電子時計１が屋外に配置されておらず、衛星信号の受信に適した場所に配置されていない可能性が高いと判断できる。
【００６８】
［充電状態での制御］
一方、受信制御部４７１は、ＳＡ２で充電状態である（ＳＡ２：Ｙｅｓ）と判定された場合、電圧検出回路４４を作動する（ＳＡ３）。この際、充電制御用スイッチ４２は、受信制御部４７１によってオフ状態に切り替えられる。すなわち、受信制御部４７１は、充電状態検出回路４３で充電中であることを検出すると、１秒間隔の制御信号ＣＴＬ２を出力し、電圧検出回路４４を作動する。この際、充電制御用スイッチ４２は、制御回路４７からの制御信号ＣＴＬ３によってオフ状態に制御されるので、ソーラーセル１３５および電圧検出回路４４は、二次電池１３０とは切り離される。このため、電圧検出回路４４は、二次電池１３０の充電電圧の影響を受けることなく、ソーラーセル１３５に当たる光の照度に対応する開放電圧を検出できる。ここで、この開放電圧は、本発明の照度に関する値の一例である。
なお、充電制御用スイッチ４２がオフ状態では充電状態検出回路４３によって充電状態を検出できない。このため、受信制御部４７１は、充電状態検出回路４３に対する制御信号ＣＴＬ１の出力タイミングと、電圧検出回路４４に対する制御信号ＣＴＬ２の出力タイミングとが一致しないように、制御信号ＣＴＬ１と制御信号ＣＴＬ２の出力タイミングをずらしている。
【００６９】
本実施形態では、電圧検出回路４４で検出される開放電圧は、図８に示すように、ソーラーセル１３５における照度が高くなるほど高くなる。
また、ソーラーセル１３５の開放電圧の代わりにソーラーセル１３５の短絡電流を、ソーラーセル１３５に当たる光の照度に対応する値として検出する構成を用いてもよい。すなわち、図９に示すように、ソーラーセル１３５における照度が高くなるほど高くなる短絡電流が検出される構成を適用してもよい。なお、短絡電流を検出する構成においても、開放電圧を検出する構成と同様に、充電制御用スイッチ４２をオフにしてソーラーセル１３５と二次電池１３０とを電気的に切断することで、二次電池１３０の影響を受けないようにする必要がある。
このような開放電圧および短絡電流は、ソーラーセル１３５における出力値と相関関係がある。そこで、本実施形態では、検出値として開放電圧や短絡電流を検出している。
【００７０】
受信制御部４７１は、電圧検出回路４４から出力される検出結果ＲＳ２により、開放電圧に対応する検出レベルを判定する（ＳＡ４）。本実施形態では、受信制御部４７１は検出レベルを図１０に示す関係に基づいて判定する。なお、図１０における開放電圧と照度は、各検出レベルにおける下限値を表したものである。例えば、受信制御部４７１は、開放電圧が５．６Ｖ以上５．８Ｖ未満の場合、検出レベルが「７」であり、５．９Ｖ以上６．２Ｖ未満の場合、検出レベルが「９」であると判定する。
【００７１】
図６に示すように、受信制御部４７１は、ＳＡ４で得られた検出レベルが、予め設定された閾レベル以上か否かを判定する（ＳＡ５）。
閾レベルは、予め設定された照度閾値に対応した値に設定されている。ここで、閾レベルと照度閾値との関係は、図１０に示す検出レベルとソーラーセル１３５に当たる光の照度との関係に基づいて、予め設定されている。例えば、照度閾値が１００００ルクスの場合、閾レベルは「７」に設定される。
本実施形態では、照度閾値は、１００ルクス，５００ルクス，１０００ルクス，２０００ルクス，３０００ルクス，５０００ルクス，８０００ルクス，１００００ルクスの８段階に設定可能とされている。すなわち、閾レベルは、「０」〜「７」の８段階に設定可能とされている。つまり、閾レベルの最大値は、１０００００ルクスに対応する「７」に設定されている。
すなわち、受信制御部４７１は、検出レベルが閾レベル以上か否かを判定することで、ソーラーセル１３５に当たる光の照度が予め設定された照度閾値以上である高照度状態であるか、照度閾値未満である低照度状態であるかを判定できる。
なお、検出レベルと、ソーラーセル１３５の開放電圧と、ソーラーセル１３５に当たる光の照度との関係は、図１０に示す関係に限定されず、適宜設定することができる。また、後述するように、閾レベルは値が高くなったり低くなったりするが、本実施形態では、初期状態の閾レベルを「７」と規定している。蛍光灯下においてソーラーセル１３５に照射された場合の光の照度は通常５００〜１０００ルクスであるのに対し、直射日光がソーラーセル１３５に照射された場合の光の照度は通常１００００ルクス以上となる。そこで、１００００ルクスに対応する閾レベルである「７」を、初期状態の閾レベルとして設定している。
【００７２】
ＳＡ５でＮｏと判定された場合（低照度状態である場合）、受信制御部４７１は、電子時計１が屋外に配置されておらず、衛星信号の受信に適した場所に配置されていない可能性が高いと判断できる。
【００７３】
ＳＡ５でＹｅｓと判定された場合（高照度状態である場合）、受信制御部４７１は、設定されている閾レベルは、最大値（「７」）か否かを判定する（ＳＡ６）。すなわち、受信制御部４７１は、照度閾値は最大値（１００００ルクス）か否かを判定する。
ＳＡ６でＹｅｓと判定された場合、受信制御部４７１は、予め設定された閾回数連続して高照度状態（検出レベル≧閾レベル）と判定されたか否かを判定する（ＳＡ７）。
ここで、閾回数は、予め設定された時間閾値に対応した値に設定されている。ここで、閾回数と時間閾値との関係は、図１１に示す判定回数と判定時間との関係に基づいて、予め設定されている。なお、図１１の関係は、１秒間隔で開放電圧を検出した場合を示している。例えば、時間閾値が１０秒の場合は、閾回数は「１０」に設定される。
本実施形態では、時間閾値は、１秒、２秒、…３０秒の３０段階に設定可能とされている。すなわち、閾回数は、「１」〜「３０」の３０段階に設定可能とされている。つまり、閾回数の最大値は、３０秒に対応する「３０」に設定されている。
すなわち、受信制御部４７１は、閾回数連続して高照度状態と判定されたか否かを判定することで、高照度状態の継続時間が、時間閾値以上であるか否かを判定できる。
なお、判定回数と判定時間との関係は、図１１に示す関係に限定されず、電圧検出の間隔に応じて変化する。例えば、２秒間隔で開放電圧を検出した場合には、判定回数が「５」であれば判定時間は「１０」秒となる。また、後述するように、閾回数は値が多くなったり少なくなったりするが、本実施形態では、１秒に対応する閾回数である「１」を、初期状態の閾回数として設定している。
【００７４】
ＳＡ２，ＳＡ５，ＳＡ７のいずれかでＮｏと判定された場合には、受信制御部４７１は、現在の時刻が、制御回路４７が制御を始めた日の２３時５９分５９秒か否か判定する（ＳＡ８）。このようにして、受信制御部４７１は、受信処理を行わずに、予め設定された所定期間が経過したか否か判定する。この場合、所定期間は、０時０分０秒からはじまる２４時間の期間である。そして、ＳＡ８でＮｏと判定された場合は、ＳＡ１に戻り、一定周期で充電状態検出回路４３を作動する。
【００７５】
一方で、ＳＡ８でＹｅｓと判定された場合は、閾値設定部４７２は、閾レベルを１レベル低くなるように設定し直す（ＳＡ９）。すなわち、照度閾値を１レベル低い値に変更する。そして、制御回路４７は、処理を終了し、次に処理が開始される制御再開時間まで待機状態に移行する。ここで、制御再開時間は１秒後の０時０分０秒である。このように検出レベルが閾レベル未満の状態が所定期間継続した場合には、閾レベルを１レベル低くなるように設定し直すことで、検出レベルが閾レベル以上となり易くなる。このように、ＧＰＳ受信回路４５を作動させる条件をより緩くしたため、ＧＰＳ受信回路４５を作動させる機会を設けることができる。
【００７６】
一方で、ＳＡ６でＮｏと判定された場合、または、ＳＡ７でＹｅｓと判定された場合には、受信制御部４７１は、ＧＰＳ受信回路４５を作動してＧＰＳ衛星１００から衛星信号を受信する受信処理を開始する（ＳＡ１０）。
なお、ＳＡ１０で開始される受信処理は、所定の条件に該当した際に自動的に行われる自動受信処理である。この自動受信処理では、測時モードでの受信処理が行われる。すなわち、測位モードでは、位置を検出するために３個以上のＧＰＳ衛星１００から信号を受信しなければならず、受信処理時間も長くなる。このため、信号受信が終了するまで電子時計１を屋外に配置しておくことが好ましいが、自動受信処理ではユーザーが受信中であることに気がつかず、受信中であっても屋内に移動してしまうおそれもある。このため、測位モードでの受信は、ユーザーが意図して受信操作を行った場合のみ、つまり強制受信処理時のみ行うことが好ましい。
一方、測時モードでは、１つのＧＰＳ衛星１００からの信号受信でも時刻情報を取得でき、受信処理時間も短くできる。従って、ユーザーが意図しなくても、受信処理を実行することができ、自動受信処理に適している。
【００７７】
閾値設定部４７２は、ＳＡ１０で開始される受信処理により受信に成功したか否かを判定する（ＳＡ１１）。
なお、ＧＰＳ受信回路４５では、まず、ＧＰＳ衛星１００の検索を行い、ＧＰＳ受信回路４５で衛星信号を検出する。そして、衛星信号を検出した場合（ＧＰＳ衛星１００を捕捉した場合）には、引き続き衛星信号の受信を継続し、時刻情報を受信する。このように時刻情報を受信できた場合には、受信に成功したと判定する。それ以外の場合、すなわち、ＧＰＳ受信回路４５で衛星信号が検出されない場合や、時刻情報を受信できなかった場合には、受信に失敗したと判定する。
そして、閾値設定部４７２は、受信に成功した（ＳＡ１１：Ｙｅｓ）と判定された場合には、照度閾値および時間閾値を変更せずに維持する。そして、制御回路４７は、処理を終了し、制御再開時間である翌日の０時０分０秒まで待機状態に移行する。
【００７８】
一方で、受信に失敗した（ＳＡ１１：Ｎｏ）と判定された場合には、閾値設定部４７２は、受信処理で衛星信号を受信したか否か、すなわち、ＧＰＳ衛星１００を捕捉できたか否かを判定する（ＳＡ１２）。
ＳＡ１２でＹｅｓと判定された場合は、受信に成功できる可能性があると判断できるため、受信条件を厳しくする必要はないと判断し、閾値設定部４７２は、照度閾値および時間閾値を維持する。
【００７９】
一方、ＳＡ１２でＮｏと判定された場合、閾値設定部４７２は、受信失敗時の閾値変更条件に該当したと判定する。そして、閾値設定部４７２は、設定されている閾レベルは最大値（「７」）か否かを判定する（ＳＡ１３）。
ＳＡ１３でＮｏと判定された場合、閾値設定部４７２は、閾レベルを１レベル高くなるように設定し直す（ＳＡ１４）。すなわち、照度閾値を１レベル高い値に変更する。そして、制御回路４７は、処理を終了し、制御再開時間まで待機状態に移行する。
【００８０】
一方、ＳＡ１３でＹｅｓと判定された場合、閾値設定部４７２は、閾回数を１回分多くなるように設定し直す（ＳＡ１５）。すなわち、時間閾値を１段階長い値に変更する。そして、制御回路４７は、処理を終了し、制御再開時間まで待機状態に移行する。
【００８１】
［第１実施形態の作用効果］
受信に失敗した場合、照度閾値に最大値が設定されている場合は、受信に失敗した原因が、衛星信号を受信できる環境に電子時計１が配置されている時間が短いことによるものである可能性が高いと判断できる。このような場合としては、例えば、電子時計１を装着したユーザーが、建物を出てすぐに他の建物や地下道に入った場合などを想定できる。このような場合、閾値設定部４７２により時間閾値をより長い値に変更することができ、同様の使用環境において受信処理を実行されにくくできるので、受信成功率を向上できる。
また、照度閾値に最大値ではない値が設定されている場合、受信に失敗した原因が、例えば、屋内において照明光が電子時計１に照射されたことで電子時計１が受信処理を実行したことによるものである可能性があると判断できる。このような場合、閾値設定部４７２が照度閾値をより高い値に変更することができ、同様の使用環境において受信処理を実行されにくくできるので、受信成功率を向上できる。
このように、受信処理を実行する受信条件を、電子時計１の様々な使用環境に応じて設定でき、受信成功率を向上できる。
【００８２】
ＧＰＳ衛星１００を捕捉したが受信に失敗した場合は、たまたま受信に失敗した可能性がある。このような場合、受信条件を厳しくせず、現在の受信条件を維持することができるので、受信頻度を維持できる。
【００８３】
［第２実施形態］
次に、本発明の第２実施形態を図面に基づいて説明する。
なお、本実施形態の電子時計の構造は、前記第１実施形態と同様であるから、その詳細な説明は省略または簡略化する。
【００８４】
図１２は、第２実施形態における制御回路での処理を示すフローチャートである。
本実施形態では、前記第１実施形態に対して、受信処理により受信に成功した場合、時間閾値をより短い値に変更する点で異なる。なお、ＳＢ１〜ＳＢ１５の処理は、第１実施形態におけるＳＡ１〜ＳＡ１５の処理と同様である。
【００８５】
本実施形態では、受信に成功したと判定された場合（ＳＢ１１：Ｙｅｓ）、閾値設定部は、設定されている閾レベルは最大値（「７」）であるか否かを判定する（ＳＢ２１）。
ＳＢ２１でＹｅｓと判定された場合、閾値設定部は、所定回数、連続して受信に成功しているか否かを判定する（ＳＢ２２）。所定回数は、例えば２回である。
ＳＢ２１でＮｏと判定された場合、または、ＳＢ２２でＮｏと判定された場合、制御回路は、処理を終了し、制御再開時間まで待機状態に移行する。
【００８６】
一方、ＳＢ２２でＹｅｓと判定された場合、閾値設定部は、閾回数を１回分少なくなるように設定し直す（ＳＢ２３）。すなわち、時間閾値を１段階短い値に変更する。そして、制御回路は、処理を終了し、制御再開時間まで待機状態に移行する。
【００８７】
［第２実施形態の作用効果］
本実施形態によれば、第１実施形態と同様の構成により、同様の作用効果を得ることができる。
また、受信処理で所定回数連続して受信に成功した場合、受信に成功し易い使用環境にあると判断できる。このような場合、受信条件を緩くしても、ただちに受信に失敗する可能性は低いと判断できる。このような場合、閾値設定部により時間閾値をより短い値に変更することができるため、受信条件に該当したか否かの判定に係る時間を短くでき、受信処理が実行されるまでの時間を短縮できる。
【００８８】
［第３実施形態］
次に、本発明の第３実施形態を図面に基づいて説明する。
なお、本実施形態の電子時計の構造は、前記第１実施形態と同様であるから、その詳細な説明は省略または簡略化する。
【００８９】
図１３は、第３実施形態における制御回路での処理を示すフローチャートである。
本実施形態では、前記第２実施形態に対して、受信処理が実行されないまま、現在時刻が２３時５９分５９秒になり、照度閾値を１レベル低い値に変更した場合、時間閾値を初期化する点で異なる。なお、ＳＣ１〜ＳＣ１５，ＳＣ２１〜ＳＣ２３の処理は、第２実施形態におけるＳＡ１〜ＳＡ１５，ＳＡ２１〜ＳＡ２３の処理と同様である。
【００９０】
本実施形態では、閾値設定部は、ＳＣ９で閾レベルが１レベル低くなるように設定し直した後、閾回数を初期化して、最小値（「１」）に設定する（ＳＣ３１）。すなわち、時間閾値を初期化し、最小値（１秒）に設定する。そして、制御回路は、処理を終了し、制御再開時間まで待機状態に移行する。
【００９１】
［第３実施形態の作用効果］
本実施形態によれば、第２実施形態と同様の構成により、同様の作用効果を得ることができる。
また、照度閾値が１レベル低い値に変更された後、回数閾値が最小値に設定されるため、次に照度閾値が最大値に設定された場合に、受信条件に該当したか否かの判定に係る時間を最短にでき、受信処理が実行されるまでの時間を最短にできる。
【００９２】
［第４実施形態］
次に、本発明の第４実施形態を図面に基づいて説明する。
なお、本実施形態の電子時計の構造は、前記第１実施形態と同様であるから、その詳細な説明は省略または簡略化する。
【００９３】
図１４は、第４実施形態における制御回路での処理を示すフローチャートである。
本実施形態では、前記第２実施形態に対して、受信処理が実行されないまま、現在時刻が２３時５９分５９秒になった場合、検出レベルが閾レベル以上であると判定されたことがあったか否かに応じて、照度閾値および時間閾値の一方をより小さい値に変更する点で異なる。なお、ＳＤ１〜ＳＤ８，ＳＤ１０〜ＳＤ１５，ＳＤ２１〜ＳＤ２３の処理は、第２実施形態におけるＳＢ１〜ＳＢ８，ＳＢ１０〜ＳＢ１５，ＳＢ２１〜ＳＢ２３の処理と同様である。
【００９４】
本実施形態では、現在時刻が２３時５９分５９秒となり、ＳＤ８でＹｅｓと判定された場合、閾値設定部は、制御回路が処理を開始してから、検出レベルが閾レベル以上であると判定されたことがあったか否かを判定する（ＳＤ４１）。
【００９５】
ＳＤ４１でＹｅｓと判定された場合、閾値設定部は、閾回数を１回分少なくなうように設定し直す（ＳＤ４２）。そして、制御回路は、処理を終了し、制御再開時間まで待機状態に移行する。
一方、ＳＤ４１でＮｏと判定された場合、すなわち、高照度状態とはならずに、所定期間（０時からはじまる２４時間の期間）の間、受信処理が実行されなかった場合、閾値設定部は、閾レベルを１レベル低くなるように設定し直す（ＳＤ４３）。そして、制御回路は、処理を終了し、制御再開時間まで待機状態に移行する。
【００９６】
［第４実施形態の作用効果］
本実施形態によれば、第２実施形態と同様の構成により、同様の作用効果を得ることができる。
また、高照度状態とはならずに、所定期間の間、受信処理が実行されなかった場合は、照度閾値が高いために受信処理が実行されなかったと判断できる。このような場合、閾値設定部により照度閾値をより低い値に変更することで、受信処理が実行される可能性を向上でき、受信間隔が長くなることを抑制できる。
また、高照度状態となったが、高照度状態の継続時間が時間閾値以上とならずに、所定期間の間、受信処理が実行されなかった場合は、時間閾値が長いために受信処理が実行できていないと判断できる。このような場合、閾値設定部により時間閾値をより短い値に変更することで、受信処理が実行される可能性を高くでき、受信間隔が長くなることを抑制できる。
【００９７】
［第５実施形態］
次に、本発明の第５実施形態を図面に基づいて説明する。
なお、本実施形態の電子時計の構造は、前記第１実施形態と同様であるから、その詳細な説明は省略または簡略化する。
【００９８】
図１５、図１６は、第５実施形態における制御回路での処理を示すフローチャートである。
本実施形態では、前記第１実施形態に対して、受信条件に該当したか否かの判定において、設定されている閾レベルが、予め設定された所定レベル以上か否かを判定している点、受信処理により衛星信号を受信できなかった場合、設定されている閾レベルが前記所定レベル以上か否かに応じて、照度閾値および時間閾値の一方をより大きい値に変更している点、受信処理が実行されないまま、現在時刻が２３時５９分５９秒になった場合、設定されている閾レベルが前記所定レベル以上か否かに応じて、照度閾値および時間閾値の一方をより小さい値に変更している点で異なる。
また、本実施形態では、閾レベルの最大値は、１０００００ルクスに対応する「１０」に設定され、閾回数の最大値は、２秒に対応する「２」に設定されている。
なお、ＳＥ１〜ＳＥ８，ＳＥ１０〜ＳＥ１２の処理は、第１実施形態におけるＳＡ１〜ＳＡ８，ＳＡ１０〜ＳＡ１２の処理と同様である。
【００９９】
本実施形態では、ＳＥ５でＹＥＳと判定された場合、受信制御部４７１は、設定されている閾レベルは、予め設定されている所定レベル以上か否かを判定する（ＳＥ５１）。所定レベルは、前述の図１０に示す検出レベルとソーラーセル１３５に当たる光の照度との関係に基づき、予め設定された所定照度値に対応した値に設定されている。本実施形態では、所定照度値は、１００００ルクスであり、所定レベルは「７」に設定されている。
ＳＥ５１でＹｅｓと判定された場合、制御回路は、処理をＳＥ７に進める。一方、ＳＥ５１でＮｏと判定された場合、制御回路は、処理をＳＥ１０に進める。
【０１００】
また、受信処理により衛星信号を受信できず、ＳＥ１２でＮｏと判定された場合、閾値設定部は、設定されている閾レベルが、前記所定レベル以上か否かを判定する（ＳＥ５２）。すなわち、照度閾値が、前記所定照度値以上か否かを判定する。
ＳＥ５２でＹｅｓと判定された場合、閾値設定部は、設定されている閾回数は、最大値（「２」）か否かを判定する（ＳＥ５３）。
ＳＥ５３でＮｏと判定された場合、閾値設定部は、閾回数を１段分多くなるように設定し直す（ＳＥ５４）。そして、制御回路は、処理を終了し、制御再開時間まで待機状態に移行する。
【０１０１】
一方、ＳＥ５２でＮｏと判定された場合、または、ＳＥ５３でＹｅｓと判定された場合、閾値設定部は、設定されている閾レベルは最大値（「１０」）であるか否かを判定する（ＳＥ５５）。ＳＥ５５でＹＥＳと判定された場合、制御回路は、処理を終了し、制御再開時間まで待機状態に移行する。
ＳＥ５５でＮｏと判定された場合、閾値設定部は、閾レベルが１レベル高い値になるように設定し直す（ＳＥ５６）。
そして、閾値設定部は、閾回数を初期化して、最小値（１回）に設定する（ＳＥ５７）。そして、制御回路は、処理を終了し、制御再開時間まで待機状態に移行する。
【０１０２】
これにより、本実施形態では、閾レベルが所定レベル以上に設定されている状態で、受信に失敗し続けた場合は、閾レベルと閾時間とが、交互に大きい値に変更されることになる。
【０１０３】
また、現在時刻が２３時５９分５９秒となり、ＳＥ８でＹｅｓと判定された場合、閾値設定部は、設定されている閾レベルは、前記所定レベル以上か否かを判定する（ＳＥ５８）。
ＳＥ５８でＹｅｓと判定された場合、閾値設定部は、制御回路が処理を開始してから、検出レベルが閾レベル以上であると判定されたことがあったか否かを判定する（ＳＥ５９）。
ＳＥ５９でＹｅｓと判定された場合、閾値設定部は、閾回数を１段階少ない値になるように設定し直す（ＳＥ６０）。そして、制御回路は、処理を終了し、制御再開時間まで待機状態に移行する。
【０１０４】
一方、ＳＥ５８でＮｏと判定された場合、または、ＳＥ５９でＮｏと判定された場合、閾値設定部は、設定されている閾レベルは、最小値（「０」）であるか否かを判定する（ＳＥ６１）。ＳＥ６１でＹｅｓと判定された場合、制御回路は、処理を終了し、制御再開時間まで待機状態に移行する。
ＳＥ６１でＮｏと判定された場合、閾値設定部は、閾レベルが１レベル低い値になるように設定し直す（ＳＥ６２）。
そして、閾値設定部は、閾回数を初期化して、最小値（１回）に設定する（ＳＥ６３）。そして、制御回路は、処理を終了し、制御再開時間まで待機状態に移行する。
【０１０５】
［第５実施形態の作用効果］
照度閾値の値が所定照度値以上の場合、受信に失敗した原因が、衛星信号を受信できる環境に電子時計が配置されている時間が短いことによるものである可能性が高いと判断できるため、時間閾値に最大値ではない値が設定されている場合は、閾値設定部が時間閾値をより長い値に変更することで、受信成功率を向上できる。
また、照度閾値の値が所定照度値未満の場合、受信に失敗した原因が、例えば、屋内において照明光が電子時計に照射されたことで電子時計が受信処理を実行したことによるものである可能性があると判断できるため、閾値設定部が照度閾値をより低い値に変更することで、受信成功率を向上できる。
【０１０６】
ただし、照度閾値の値が所定照度値以上の場合でも、受信に失敗した原因が、屋内において直射日光よりも強い照明光が電子時計に照射させたことで電子時計が受信処理を実行したことによるものである可能性もある。このような場合、時間閾値をより長い値に変更することを続けても受信に成功できない。本実施形態によれば、照度閾値の値が所定照度値以上の場合でも、時間閾値に最大値が設定されている場合は、閾値設定部は、照度閾値をより高い値に変更する。このため、上記のように、屋内において直射日光よりも強い照明光が電子時計に照射されるような場合でも、受信成功率を向上できる。
このように、受信処理を実行する受信条件を、電子時計の様々な使用環境に応じて設定でき、受信成功率を向上できる。
また、照度閾値がより高い値に変更される場合、閾値設定部により時間閾値に最小値が設定されるため、受信条件に該当したか否かの判定にかかる時間を最短にでき、受信処理が実行されるまでの時間を最短にできる。
【０１０７】
高照度状態となったが、高照度状態の継続時間が時間閾値以上とならずに、所定期間の間、受信処理が実行されず、かつ、設定されている照度閾値の値が所定照度値以上の場合（ＳＥ５９：Ｙｅｓ）、時間閾値が長いために受信処理が実行できていないと判断できる。従って、このような場合は、閾値設定部が時間閾値をより短い値に変更することで、受信処理が実行される可能性を高くでき、受信間隔が長くなることを抑制できる。
一方、高照度状態とならずに、所定期間の間、受信処理が実行されなかった場合（ＳＥ５９：Ｎｏ）、照度閾値が高いために受信処理が実行できていないと判断できる。従って、このような場合は、閾値設定部が照度閾値をより低い値に変更することで、受信処理が実行される可能性を高くでき、受信間隔が長くなることを抑制できる。さらに、この場合、閾値設定部により時間閾値に最小値を設定することで、受信条件に該当したか否かの判定にかかる時間を最短にでき、受信処理が実行されるまでの時間を最短にできる。
【０１０８】
［第６実施形態］
次に、本発明の第６実施形態を図面に基づいて説明する。
なお、本実施形態の電子時計の構造は、前記第１実施形態と同様であるから、その詳細な説明は省略または簡略化する。
【０１０９】
図１７、図１８は、第６実施形態における制御回路での処理を示すフローチャートである。
本実施形態では、前記第１実施形態に対して、受信条件に該当したか否かの判定において、ＳＡ６に対応する処理がなく、設定されている閾レベルは、最大値であるか否かの判定を行っていない点、受信処理により衛星信号を受信できたか否かに応じて、照度閾値および時間閾値の一方をより大きい値に変更している点、受信処理が実行されないまま、現在時刻が２３時５９分５９秒になった場合、検出レベルが閾レベル以上であると判定されたことがあったか否かに応じて、照度閾値および時間閾値の一方をより小さい値に変更する点で異なる。なお、ＳＦ１〜ＳＦ５，ＳＦ７，ＳＦ８，ＳＦ１０〜ＳＦ１２の処理は、第１実施形態におけるＳＡ１〜ＳＡ５，ＳＡ７，ＳＡ８，ＳＡ１０〜ＳＡ１２の処理と同様である。
【０１１０】
本実施形態では、ＳＦ５でＹＥＳと判定された場合、受信制御部は、設定されている閾レベルが最大値であるか否かの判定は行わずに、ＳＦ７において、閾回数連続して高照度状態（検出レベル≧閾レベル）と判定されたか否かを判定する。
【０１１１】
また、受信には失敗したが、受信処理により衛星信号を受信でき、ＳＦ１２でＹｅｓと判定された場合、閾値設定部は、設定されている閾回数が、最大値（「３０」）であるか否かを判定する（ＳＦ７１）。ＳＦ７１でＹｅｓと判定された場合、制御回路は、処理を終了し、制御再開時間まで待機状態に移行する。
一方、ＳＥ７１でＮｏと判定された場合、閾値設定部は、閾回数を１回分多くなるように設定し直す（ＳＥ７２）。そして、制御回路は、処理を終了し、制御再開時間まで待機状態に移行する。
【０１１２】
一方、受信処理により衛星信号を受信できず、ＳＥ１２でＮｏと判定された場合、閾値設定部は、設定されている閾レベルは、最大値（「７」）であるか否かを判定する（ＳＦ７３）。ＳＥ７３でＹｅｓと判定された場合、制御回路は、処理を終了し、制御再開時間まで待機状態に移行する。
ＳＥ７３でＮｏと判定された場合、閾値設定部は、閾レベルが１レベル高い値になるように設定し直す（ＳＦ７４）。そして、制御回路は、処理を終了し、制御再開時間まで待機状態に移行する。
【０１１３】
また、現在時刻が２３時５９分５９秒となり、ＳＦ８でＹｅｓと判定された場合、閾値設定部は、制御回路が処理を開始してから、検出レベルが閾レベル以上であると判定されたことがあったか否かを判定する（ＳＦ７５）。
ＳＦ７５でＹｅｓと判定された場合、閾値設定部は、閾回数を１回分少なくなるように設定し直す（ＳＦ７６）。そして、制御回路は、処理を終了し、制御再開時間まで待機状態に移行する。
【０１１４】
一方、ＳＦ７５でＮｏと判定された場合、閾値設定部は、設定されている閾レベルは、最小値（「０」）であるか否かを判定する（ＳＦ７７）。ＳＦ７７でＹｅｓと判定された場合、制御回路は、処理を終了し、制御再開時間まで待機状態に移行する。
ＳＦ７７でＮｏと判定された場合、閾値設定部は、閾レベルが１レベル低い値になるように設定し直す（ＳＦ７８）。
そして、閾値設定部は、閾回数を初期化して、最小値（１回）に設定する（ＳＦ７９）。そして、制御回路は、処理を終了し、制御再開時間まで待機状態に移行する。
【０１１５】
［第６実施形態の作用効果］
受信に失敗した場合、受信処理でＧＰＳ衛星１００を捕捉できた場合は、受信に失敗した原因が、衛星信号を受信できる環境に電子時計が配置されている時間が短いことによるものである可能性が高いと判断できるため、閾値設定部が時間閾値をより長い値に変更することで、時間閾値を変更しない場合と比べて、受信成功率を向上できる。
また、受信処理でＧＰＳ衛星１００を捕捉できなかった場合、受信に失敗した原因が、例えば、屋内において照明光が電子時計に照射されたことで電子時計が受信処理を実行したことによるものである可能性があると判断できるため、閾値設定部が照度閾値をより高い値に変更することで、受信成功率を向上できる。
このように、受信処理を実行する受信条件を、電子時計の様々な使用環境に応じて設定でき、受信成功率を向上できる。
【０１１６】
高照度状態となったが、高照度状態の継続時間が時間閾値以上とならずに、所定期間の間、受信処理が実行されなかった場合、時間閾値が長いために受信処理が実行できていないと判断できる。従って、このような場合は、閾値設定部が時間閾値をより短い値に変更することで、受信処理が実行される可能性を高くでき、受信間隔が長くなることを抑制できる。
一方、高照度状態とはならずに、所定期間の間、受信処理が実行されなかった場合は、照度閾値が高いために受信処理が実行されなかったと判断できる。従って、このような場合は、閾値設定部が照度閾値をより低い値に変更することで、受信処理が実行される可能性を向上でき、受信間隔が長くなることを抑制できる。この場合、閾値設定部が時間閾値に最小値を設定するため、受信条件に該当したか否かの判定に係る時間を最短にでき、受信処理が実行されるまでの時間を最短にできる。
【０１１７】
［他の実施形態］
なお、本発明は前述の各実施形態に限定されるものではなく、本発明の目的を達成できる範囲での変形、改良等は本発明に含まれるものである。
【０１１８】
前記第１〜第５実施形態では、閾値設定部は、受信処理で衛星信号を受信できずに（位置情報衛星を捕捉できずに）受信に失敗した場合、受信失敗時の閾値変更条件に該当したと判定しているが、本発明はこれに限定されない。すなわち、受信に失敗した場合は、衛星信号を受信できたか否かにかかわらず、前記閾値変更条件に該当したと判定し、照度閾値および時間閾値の一方を大きい値に変更してもよい。
【０１１９】
前記第１〜第４実施形態では、受信制御部は、高照度状態が検出された場合、設定されている閾レベルが最大値ではない場合は、ただちに受信処理を実行しているが、本発明はこれに限定されない。すなわち、閾レベルが最大値ではない場合も、閾値回数連続して高照度状態と判定されたか否かを判定し、Ｙｅｓと判定した場合にのみ、受信処理を実行してもよい。
同様に、前記第５実施形態において、受信制御部は、高照度状態が検出された場合、閾レベルが所定レベル未満である場合も、閾値回数連続して高照度状態と判定されたか否かを判定し、Ｙｅｓと判定した場合にのみ、受信処理を実行してもよい。
【０１２０】
前記第２〜第４実施形態では、閾値設定部は、受信に成功した場合、照度閾値が最大値ではない場合は、時間閾値を変更しないが、本発明はこれに限定されない。例えば、照度閾値が最大値ではない場合も、所定回数連続して受信に成功しているか否かを判定し、成功していると判定した場合は、時間閾値を１段階短い値に変更してもよい。
【０１２１】
前記各実施形態では、充電状態の検出を１秒間隔で行っていたが、この間隔に限定されず、例えば、０．５秒間隔、１０秒間隔や１分間隔に設定してもよい。
前記各実施形態では、自動受信処理時には測時モードで受信し、測位モードでの受信は強制受信処理時のみに行う形態としたが、当然、測位モードでの受信を自動受信処理で行ってもよい。例えば、自動受信処理時の受信モードをユーザーが予め選択できるようにしておき、測位モードが選択された場合には自動受信処理時に測位モードで受信し、測時モードが選択された場合には自動受信処理時に測時モードで受信すればよい。
なお、自動受信処理を測位モードで行う場合は、時刻情報を取得できなかった場合に、受信に失敗したと判定してもよいし、位置情報の算出に必要な情報を取得できなかった場合に、受信に失敗したと判定してもよい。また、受信に失敗した場合、衛星信号をまったく受信できなかった場合に、閾値変更条件に該当したと判定してもよいし、少なくとも３つのＧＰＳ衛星１００から衛星信号を受信できなかった場合に、閾値変更条件に該当したと判定してもよい。
【０１２２】
前記各実施形態では、受信処理が実行された場合、翌日の０時まで受信処理は実行されないが、本発明はこれに限定されない。例えば、受信処理が１２時よりも前に実行された場合は、１２時まで受信処理が実行されないようにし、受信処理が１２時以降に実行された場合は、翌日の０時まで受信処理が実行されないようにしてもよい。
【０１２３】
前記第１〜４、第６実施形態では、照度閾値の最大値は１００００ルクスに設定されているが、本発明はこれに限定されない。すなわち、当該最大値は、屋内における一般的な照明光による照度よりも高い値に設定されていればよい。
また、前記第５実施形態では、照度閾値と比較される所定照度値は、１００００ルクスに設定されているが、本発明はこれに限定されない。すなわち、所定照度値は、前記一般的な照明光による照度よりも高い値に設定されていればよい。
【０１２４】
前記第４実施形態において、閾値設定部は、ＳＤ４３で照度閾値を１段階低い値に変更した後、時間閾値を初期化して最小値に設定してもよい。これによれば、照度閾値に、最大値が設定されていない場合は、受信条件に該当したか否かの判定に係る時間を最短にでき、受信処理が実行されるまでの時間を最短にできる。
【０１２５】
前記第５実施形態では、ＳＥ５２において照度閾値と比較される値と、ＳＥ５８において照度閾値と比較される値とは、同じ所定照度値であるが、本発明はこれに限定されない。すなわち、ＳＥ５２において照度閾値と比較される値を第１所定照度値とし、ＳＥ５８において照度閾値と比較される値を、第１所定照度値とは異なる第２所定照度値としてもよい。
【０１２６】
本発明の電子機器は、腕時計（電子時計）に限定されず、例えば、携帯電話、登山等に用いられる携帯型のＧＰＳ受信機等、位置情報衛星から送信される衛星信号を受信する装置に広く利用できる。
【０１２７】
前記各実施形態では、位置情報衛星の例として、ＧＰＳ衛星１００について説明したが、本発明はこれに限定されない。例えば、位置情報衛星としては、ガリレオ（ＥＵ）、ＧＬＯＮＡＳＳ（ロシア）、Ｂｅｉｄｏｕ（中国）などの他の全地球的公航法衛星システム（ＧＮＳＳ）で利用される衛星が適用できる。また、静止衛星型衛星航法補強システム（ＳＢＡＳ）などの静止衛星や、準天頂衛星等の特定の地域のみで検索できる地域的衛星測位システム（ＲＮＳＳ）などの衛星も適用できる。
【符号の説明】
【０１２８】
１…電子時計、１００…ＧＰＳ衛星、１３０…二次電池、１３５…ソーラーセル、４１…ダイオード、４２…充電制御用スイッチ、４２１…スイッチング素子、４３…充電状態検出回路、４４…電圧検出回路、４５…ＧＰＳ受信回路（受信部）、４６…時計部、４７…制御回路、４７１…受信制御部、４７２…閾値設定部。
【図１】
0006657995.tif 000002
【図２】
0006657995.tif 000003
【図３】
0006657995.tif 000004
【図４】
0006657995.tif 000005
【図５Ａ】
0006657995.tif 000006
【図５Ｂ】
0006657995.tif 000007
【図５Ｃ】
0006657995.tif 000008
【図６】
0006657995.tif 000009
【図７】
0006657995.tif 000010
【図８】
0006657995.tif 000011
【図９】
0006657995.tif 000012
【図１０】
0006657995.tif 000013
【図１１】
0006657995.tif 000014
【図１２】
0006657995.tif 000015
【図１３】
0006657995.tif 000016
【図１４】
0006657995.tif 000017
【図１５】
0006657995.tif 000018
【図１６】
0006657995.tif 000019
【図１７】
0006657995.tif 000020
【図１８】
0006657995.tif 000021